(57)【要約】【課題】あかぎれ部分に貼るテープが、傷口を適切に押さえてくれなくて、貼りずらいという不都合を解決すること。【解決手段】あかぎれ対策用テープ１をＨ型にして、はくり紙を分割して、この課題を解決する。【選択図】  図１
2006247342.tif 000002
【特許請求の範囲】
【請求項１】
赤ギレ部分のある指の第一関節部までを弾力性のあるＨ型のテープによって適切に押さえ、痛みを和らげ、爪上部と指の腹の部分を覆わないことを特徴とする赤ギレ対策用テープ。
【請求項２】
赤ギレ部にテープを貼る順序を裏面のくっつき防止紙に記入して、分割し、一番の番号を赤ギレ部を押さえるテープであることを明確にし、また、二番、三番の番号は、くっつき防止紙の一部を長くし、締め付けないで貼れるよう工夫したことを特徴とする赤ギレ対策用テープ。
【発明の詳細な説明】
【技術分野】
【０００１】  本発明は、赤ギレ対策用テープに関するものであり、テープの形状に工夫を加えることによって、赤ギレ部分を適切に押さえることができるようにし、また裏面のくっつき防止紙に工夫を加えることによってより貼りやすくしたものである。
【背景技術】
【０００２】  従来から、普通のテープ、テーピングテープ、形状を変えたテープがある。
【発明の開示】
【発明が解決しようとする課題】
【０００３】  しかし、従来のようなテーピングテープ、形状を変えたテープがあるが、赤ギレ部分を適切に押さることがなされず、また、貼りずらい不便さがあった。本発明は、このような不都合を解決することを課題とする。
【課題を解決するための手段】
【０００４】  この課題を解決するための請求項１の発明は、指の第一関節までを覆うＨ型のテープにしたことを特徴とする赤ギレ対策用テープである。形状をＨ型にすることにより、赤ギレ部分を適切に押さえてくれる。弾力性のあるテープであれば、赤ギレ部分の傷口を収縮する力によって押さえてくれるが、爪の横を回しているため、しびれは来ない。【０００５】  また、請求項２の発明は、貼る順序を示し、赤ギレを効果的に押さえ付けてくれることを適切に導いてくれることを特徴としている。裏面のくっつき防止紙を三分割にして番号をふって順序通りに貼る。一番の番号を赤ギレ部を押さえるテープ部分であることを明確にし、二番、三番の番号のくっつき防止紙の一部を長くし、しびれが米ないように締め付けないで貼ることができるようにしたものである。
【発明の効果】
【０００６】  本発明により、爪上部と指の腹部分を出しながら、赤ギレ部分を適切に押さえることができる。また、くっつき防止紙に番号を付けて三分割することにより、一番のくっつき防止紙をはがしたテープは横テープ状になって、最初に第一関節よりテープを横に巻き付け爪先を回り再び手前の第−関節まで来ると、しっかりと赤ギレを押さえることができる。テープに伸縮性のあるものを使用することにより、赤ギレを確実に押さえ付けてくれる効果がある。
【発明を実施するための最良の形態】
【０００７】  図１は、テープをＨ型にしたことを特徴とする。Ｈ型の横の長さは、指の第一関節から横に回して爪先を覆い第一関節まで戻ってくる長さとする。Ｈ型の上部空間は、爪を出せるようにしている。Ｈ型の下部空間は、指の腹部分を出せるようにしてある。Ｈ型の下の外側への膨らみは、指の腹部分も第一関節まで来るように工夫したものである。【０００８】  図２は、くっつき防止紙を三分割にして、番号を付け順序通りにすると、テープのどの部分が赤ギレを適切に押さえてくれるのか明確にしてくれるので貼り易くなることを特徴とする。また、くっつき防止紙の一部分を長くすることにより、一度貼り付けた部分を剥がすことなく、シビレが来ないように巻き付けるように貼れるようにしたものである。
【産業上の利用可能性】
【０００９】  本発明に係わるテープは、赤ギレテープ、スポーツマンが使用するテーピングテープ等必要で、工業的に量産することが可能であるため産業上の利用可能性を有する。
【図面の簡単な説明】
【００１０】
【図１】  赤ギレ対策テープの正面図である。
【図２】  裏面のくっつき防止紙（イ）の方から見た正面図である。
【図３】  裏面のくっつき防止紙（ロ）の方から見た正面図である。
【図４】  裏面のくっつき防止紙（ロ）の一部の部分的な斜視図である。
【図５】  赤ギレ対策テープを取り付けた様子の斜視図である。
【図面の簡単な説明】
【００１１】  １    赤ギレ対策テープ
２    爪先に合わせる線
３    くっつき防止紙の一番
４    くっつき防止紙の二番
５    くっつき防止紙の三番
【図１】
2006247342.tif 000003
【図２】
2006247342.tif 000004
【図３】
2006247342.tif 000005
【図４】
2006247342.tif 000006
【図５】
2006247342.tif 000007
【手続補正書】
【提出日】平成17年4月14日(2005.4.14)
【手続補正１】
【補正対象書類名】特許請求の範囲
【補正対象項目名】全文
【補正方法】変更
【補正の内容】
【特許請求の範囲】
【請求項１】
あかぎれ部分のある指の第一関節までを伸縮性のあるＨ型のテープによって適切に押さえ、痛みを和らげ、爪上部と指の腹の部分を覆わないことを特徴とするあかぎれ対策用テープ。
【請求項２】
あかぎれ部にテープを貼る順序を裏面のはくり紙に記入して、分割し、一番の番号があかぎれ部を押さえるテープであることを明確にし、また、二番、三番のはくり紙の一部を長くし、締め付けないで貼れるよう工夫したことを特徴とするあかぎれ対策用テープ。
【手続補正２】
【補正対象書類名】明細書
【補正対象項目名】全文
【補正方法】変更
【補正の内容】
【発明の詳細な説明】
【技術分野】
【０００１】  本発明は、あかぎれ対策用テープに関するものであり、テープの形状に工夫を加えることによって、あかぎれ部分を適切に押さえることができるようにし、また裏面のはくり紙に工夫を加えることによってより貼りやすくしたものである。
【背景技術】
【０００２】  従来から、普通のテープ、テーピングテープ、形状を変えたテープがある。
【発明の開示】
【発明が解決しようとする課題】
【０００３】  しかし、従来のようなテーピングテープ、形状を変えたテープがあるが、あかぎれ部分を適切に押さえることがなされず、また、貼りずらい不便さがあった。本発明は、このような不都合を解決することを課題とする。
【課題を解決するための手段】
【０００４】  この課題を解決するための請求項１の発明は、指の第一関節までを覆うＨ型のテープにしたことを特徴とするあかぎれ対策用テープである。形状をＨ型にすることにより、あかぎれ部分を適切に押さえてくれる。伸縮性のあるテープであれば、あかぎれ部分の傷口を収縮する力によって押さえてくれるが、爪の横側を回しているため、しびれはこない。【０００５】  また、請求項２の発明は、貼る順序を示し、あかぎれを効果的に押さえ付けてくれることを適切に導いてくれることを特徴としている。裏面のはくり紙を三分割にして番号をふって順序通りに貼る。一番の番号をあかぎれ部を押さえるテープ部分であることを明確にし、二番、三番の番号のはくり紙の一部を長くし、しびれがこないように締め付けないで貼ることができるようにしたものである。
【発明の効果】
【０００６】  本発明により、爪上部と指の腹部分を出しながら、あかぎれ部分を適切に押さえることができる。また、はくり紙に番号を付けて三分割することにより、一番のはくり紙をはがしたテープは横テープ状になって、最初に第一関節よりテープを横に巻き付け爪先を回り再び手前の第一関節まで来ると、しっかりとあかぎれを押さえることができる。テープに伸縮性のあるものを使用することにより、あかぎれを確実に押さえ付けてくれる効果がある。
【発明を実施するための最良の形態】
【０００７】  図１は、テープをＨ型にしたことを特徴とする。Ｈ型の横の長さは、指の第一関節から横に回して爪先を覆い第一関節まで戻ってくる長さとする。Ｈ型の上部空間は、爪を出せるようにしている。Ｈ型の下部空間は、指の腹部分を出せるようにしてある。Ｈ型の下の外側への膨らみは、指の腹部分も第一関節まで来るように工夫したものである。【０００８】  図２は、はくり紙を三分割にして、番号を付け順序通りにすると、テープのどの部分があかぎれを適切に押さえてくれるのか明確にしてくれるので貼り易くなることを特徴とする。また、はくり紙の一部分を長くすることにより、一度貼り付けた部分を剥がすことなく、しびれがこないように巻き付けるように貼れるようにしたものである。
【産業上の利用可能性】
【０００９】  本発明に係わるテープは、あかぎれテープ、スポーツマンが使用するテーピングテープ等必要で、工業的に量産することが可能であるため産業上の利用可能性を有する。
【図面の簡単な説明】
【００１０】
【図１】あかぎれ対策用テープの正面図である。
【図２】裏面のはくり紙（イ）の方から見た正面図である。
【図３】裏面のはくり紙（ロ）の方から見た正面図である。
【図４】裏面のはくり紙（ロ）の一部の部分的な斜視図である。
【図５】あかぎれ対策用テープを取り付けた様子の斜視図である。
【符号の説明】
【００１１】  １あかぎれ対策用テープ
２    爪先に合わせる線
３はくり紙の一番
４はくり紙の二番
５はくり紙の三番
【手続補正書】
【提出日】平成17年5月27日(2005.5.27)
【手続補正１】
【補正対象書類名】特許請求の範囲
【補正対象項目名】請求項３
【補正方法】追加
【補正の内容】
【請求項３】
あかぎれ部分を更に有効に押さえるため、また、伸縮性のあるテープのためよじれて貼りずらいのを貼り易くするため、Ｈ型のテープの横の部分に約５ｍｍ幅で帯状に二重構造にする。または、目の大きい網目状で指への粘着を妨げない目の帯を付けた構造にしたあかぎれ対策用テープ。
【手続補正書】
【提出日】平成17年8月11日(2005.8.11)
【手続補正２】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
あかぎれ部分のある指の第一関節までを伸縮性のあるＨ型のテープによって適切に押さえ、痛みを和らげ、爪上部と指の腹の部分を覆わないことを特徴とするあかぎれ対策用テープ。
【請求項２】
あかぎれ部にテープを貼る順序を裏面のはくり紙に記入して、分割し、一番の番号があかぎれ部を押さえるテープであることを明確にし、また、二番、三番のはくり紙の一部を長くし、締め付けないで貼れるよう工夫したことを特徴とするあかぎれ対策用テープ。
【請求項３】
あかぎれ部分を更に有効に押さえるため、また、伸縮性のあるテープのためよじれて貼りづらいのを貼り易くするため、Ｈ型のテープの横の部分に約５ｍｍ幅で帯状に二重構造にする。または、目の大きい網目状で指への粘着を妨げない目の帯を付けた構造にしたあかぎれ対策用テープ。